(57)【要約】  本発明はコンテンツをダウンロードする実現方法及びシステムを開示し、ポータルサイトがダウンロードのトリガー要求を受信した後、ダウンロードされるコンテンツを疑似ユニフォームリソースロケータ(ＵＲＬ)に生成し、疑似ＵＲＬと前記コンテンツの実際のＵＲＬの対応関係情報を確立し、コンテンツの疑似ＵＲＬをコンテンツがダウンロードされる端末に送信すること、コンテンツがダウンロードされる端末は疑似ＵＲＬに従ってダウンロードをダウンロードエンジンにトリガーすること、及びダウンロードエンジンが疑似ＵＲＬに応じて疑似ＵＲＬとコンテンツの実際のＵＲＬの対応関係情報を問い合わせ、コンテンツの実際のＵＲＬを取得し、取得した実際のＵＲＬに応じてコンテンツをコンテンツがダウンロードされる端末にダウンロードすることを含む。本発明はダウンロードコンテンツのために疑似ＵＲＬを生成し、コンテンツ関連情報を隠れることによって、直リンクとリンクアドレスが長すぎる問題の発生を避ける。【選択図】図１
2014509014.tif 000002
【特許請求の範囲】
【請求項１】
コンテンツダウンロードを実現する方法であって、
ポータルサイトがダウンロードのトリガー要求を受信した後、ダウンロードされるコンテンツを疑似ユニフォームリソースロケータ(ＵＲＬ)に生成し、前記疑似ＵＲＬと前記コンテンツの実際のＵＲＬとの間の対応関係情報を確立し、前記疑似ＵＲＬをコンテンツのダウンロードされる端末に送信することと、
前記コンテンツのダウンロードされる端末が前記疑似ＵＲＬに従ってダウンロードをダウンロードエンジンにトリガーすることと、
前記ダウンロードエンジンが前記疑似ＵＲＬに応じて前記疑似ＵＲＬと前記コンテンツの実際のＵＲＬとの間の対応関係情報を問い合わせ、前記コンテンツの実際のＵＲＬを取得し、取得した実際のＵＲＬに応じてコンテンツを前記コンテンツのダウンロードされる端末にダウンロードすることとを含むコンテンツダウンロードを実現する方法。
【請求項２】
前記疑似ＵＲＬは前記ダウンロードエンジンのアドレスとコンテンツ関連情報の識別コードを含む請求項１に記載の方法。
【請求項３】
ダウンロードをダウンロードエンジンにトリガーするステップにおいて、前記コンテンツのダウンロードされる端末が前記疑似ＵＲＬに含まれた前記ダウンロードエンジンのアドレスに応じて、ダウンロードを前記ダウンロードエンジンにトリガーする請求項２に記載の方法。
【請求項４】
前記コンテンツの実際のＵＲＬはコンテンツ関連情報を含み、
前記コンテンツの実際のＵＲＬを取得して、取得した実際のＵＲＬに応じてコンテンツを前記コンテンツのダウンロードされる端末にダウンロードするステップは、前記ダウンロードエンジンが前記疑似ＵＲＬに含まれた前記ダウンロードエンジンのアドレスとコンテンツ関連情報の識別コードに基づいて、前記コンテンツの実際のＵＲＬを取得し、取得した実際のＵＲＬにおけるコンテンツ関連情報に応じて、コンテンツを前記コンテンツのダウンロードされる端末にダウンロードすることを含む端末請求項２に記載の方法。
【請求項５】
前記ダウンロードエンジンはコンテンツを前記コンテンツのダウンロードされる端末にダウンロードする前に、前記コンテンツ関連情報を認証控除エンティティに送信し、前記認証控除エンティティが前記コンテンツのダウンロードされる端末にトリガーされたダウンロードを認証するのを要求することと、
前記認証控除エンティティは前記コンテンツ関連情報に基づいて、前記コンテンツのダウンロードされる端末がトリガーしたダウンロードを認証することとをさらに含む請求項４に記載の方法。
【請求項６】
前記ダウンロードエンジンがコンテンツを前記コンテンツのダウンロードされる端末に成功にダウンロードした後、前記認証控除エンティティをトリガーして控除することと、
前記認証控除エンティティが課金と控除操作を行い、前記疑似ＵＲＬと実際のＵＲＬとの対応関係情報を削除することとをさらに含む請求項５に記載の方法。
【請求項７】
前記ポータルサイトが前記疑似ＵＲＬと前記コンテンツの実際のＵＲＬとの対応関係情報を確立する際に、前記疑似ＵＲＬの失効時間を記録することと、
前記ダウンロードエンジンが前記失効時間の到達する際に、コンテンツを前記コンテンツのダウンロードされる端末にまだダウンロードしてないと、前記疑似ＵＲＬに対応する記録を削除することとをさらに含む請求項１に記載の方法。
【請求項８】
前記コンテンツ関連情報の識別コードがタイムスタンプ、情報源のネットワークエレメント番号及び乱数を含む請求項２に記載の方法。
【請求項９】
コンテンツダウンロードを実現するシステムであって、ポータルサイトとダウンロードエンジンを含み、
前記ポータルサイトは、ダウンロードのトリガー要求を受信した後、ダウンロードされるコンテンツを疑似ユニフォームリソースロケータ(ＵＲＬ)に生成するため、前記疑似ＵＲＬと前記コンテンツの実際のＵＲＬとの対応関係情報を確立し、前記疑似ＵＲＬをコンテンツのダウンロードされる端末に送信するように設置され、
前記ダウンロードエンジンは、前記コンテンツのダウンロードされる端末が前記疑似ＵＲＬに基づいてダウンロードを前記ダウンロードエンジンにトリガーした後、前記疑似ＵＲＬに基づいて前記疑似ＵＲＬと前記コンテンツの実際のＵＲＬとの対応関係情報を問い合わせ、前記コンテンツの実際のＵＲＬを取得し、取得した実際のＵＲＬに基づいてコンテンツを前記コンテンツのダウンロードされる端末にダウンロードするように設置されるコンテンツダウンロードを実現するシステム。
【請求項１０】
前記疑似ＵＲＬが前記ダウンロードエンジンのアドレスとコンテンツ関連情報の識別コードを含む請求項９に記載のシステム。
【発明の詳細な説明】
【技術分野】
【０００１】
本発明はモバイルインターネット技術の分野に関し、特にコンテンツをダウンロードする実現方法及びシステムに関する。
【背景技術】
【０００２】
３Ｇ（第三世代移動通信技術）ネットワークの急速な発展に伴って、モバイルインターネットが既に人間の生活に入っていた。携帯電話読書、アニメプラットフォーム、ゲームプラットフォーム及びダウンロードプラットフォームなどのサービスがともにユーザーに様々な形式のダウンロードサービス機能を提供し、例えばユーザーがアニメプラットフォームのアニメを移動クライアントにダウンロードしてオフラインで閲覧し、ユーザーがゲームプラットフォームのインストールパッケージをダウンロードしてインストールする。サービスの急速な発展を促進するために、オペレータが様々な方式によってユーザーのダウンロード消費行為を促進し、例えばユーザーの推薦ダウンロード、ユーザーのギフトダウンロード、ユーザーの管理者ＷＡＰ（無線アプリケーションプロトコル）知的マーケティングショートメッセージによってのダウンロード、及びユーザーのショートメッセージ点播によってのダウンロードなどを許可する。
【０００３】
上記の各種形式のダウンロード方式において、最終にダウンロード機能を実現するものがダウンロードエンジンである。一般的には、推薦ユーザーがダウンロードエンジンファイルをポインティングするリンクを推薦された端末ユーザーに送信し、或いはギフトユーザーがダウンロードエンジンファイルをポインティングするリンクをギフトされた端末ユーザーに送信し、或いは管理者ユーザーがダウンロードエンジンファイルをポインティングするリンクを端末ユーザーに送信して、次に端末ユーザーがリンクをクリックしてダウンロードするステップである。ユーザーがＷＥＢ（ウェブページ）、ＷＡＰ及びショートメッセージポータルなどによって推薦又はギフトすることができ、管理者が管理者ポータルによってＷＡＰ ＰＵＳＨ（プッシュ）ショートメッセージを使用して知的にマーケティングする。
【０００４】
従来、ダウンロードエンジンをポインティングするリンクを端末ユーザーに送信するが、直接に実際のＵＲＬ（ユニフォームリソースロケータ）をユーザーに送信し、以下の問題をもたらす：
（１）直リンクの欠点が存在する。ダウンロードエンジンをポインティングするＵＲＬリンクにダウンロードファイルの情報、ＳＰ（サービスプロバイダー）の情報、ＣＰ（コンテンツプロバイダー）の情報及びチャネルの情報などを携えた。ギフト或いは推薦ダウンロードであると、ＵＲＬに推薦或いはギフトユーザーの情報を携えた。これはシステムのセキュリティに大きな隠れた危険をもたらし、且つ一旦にこれらの情報が一部の違法のＳＰ、ＣＰ製造業者または個人に悪意利用され、正常なダウンロード機能を妨害して他人に損失を与えることがある。
【０００５】
（２）管理者がＷＡＰ ＰＵＳＨショートメッセージによってインテリジェントマーケティングを行い、或いは端末ユーザーがＷＡＰ ＰＵＳＨショートメッセージによって推薦、ギフトダウンロード或は点播ダウンロードを行うと、ＵＲＬリンクに大量の情報を携えるため、長さが長く、他のコンテンツを加え、該ＷＡＰ ＰＵＳＨショートメッセージが１つのショートメッセージの長さを超える可能性があり、且つユーザーの端末に表示すれば長いリストアルファベットであり、多くの行に分けられ、表示効果が悪い可能性があり、ユーザー体験を重視するモバイルインターネットサービスにとって致命的な弱点となる。
【発明の概要】
【発明が解決しようとする課題】
【０００６】
本発明はコンテンツのダウンロードにおける直リンク及びリンクアドレスが長すぎる問題を解決するコンテンツをダウンロードする実現方法及びシステムを提供する目的とする。
【課題を解決するための手段】
【０００７】
上記の技術問題を解決するために、本発明はコンテンツをダウンロードする実現方法を提供し、
ポータルサイトがダウンロードのトリガー要求を受信した後、ダウンロードされるコンテンツを疑似ユニフォームリソースロケータ(ＵＲＬ)に生成し、前記疑似ＵＲＬと前記コンテンツの実際のＵＲＬの間の対応関係情報を確立し、前記疑似ＵＲＬをコンテンツがダウンロードされる端末に送信すること、
前記したコンテンツがダウンロードされる端末は前記疑似ＵＲＬに従ってダウンロードをダウンロードエンジンにトリガーすること、及び
前記ダウンロードエンジンが前記疑似ＵＲＬに応じて前記疑似ＵＲＬと前記コンテンツの実際のＵＲＬとの間の対応関係情報を問い合わせ、前記コンテンツの実際のＵＲＬを取得し、取得した実際のＵＲＬに応じてコンテンツを前記したコンテンツがダウンロードされる端末にダウンロードすることを含む。
【０００８】
前記疑似ＵＲＬは前記ダウンロードエンジンのアドレスとコンテンツ関連情報の識別コードを含む。
【０００９】
ダウンロードをダウンロードエンジンにトリガーするステップにおいて、前記したコンテンツがダウンロードされる端末が前記疑似ＵＲＬに含まれた前記ダウンロードエンジンのアドレスに応じて、ダウンロードを前記ダウンロードエンジンにトリガーする。
【００１０】
前記コンテンツの実際のＵＲＬがコンテンツ関連情報を含み、
前記コンテンツの実際のＵＲＬを取得して取得した実際のＵＲＬに応じてコンテンツを前記したコンテンツがダウンロードされる端末にダウンロードするステップは、前記ダウンロードエンジンが前記疑似ＵＲＬに含まれた前記ダウンロードエンジンのアドレスとコンテンツ関連情報の識別コードに基づいて、前記コンテンツの実際のＵＲＬを取得し、取得した実際のＵＲＬにおけるコンテンツ関連情報に応じて、コンテンツを前記したコンテンツがダウンロードされる端末にダウンロードすることを含む。
【００１１】
該方法はさらに、
前記ダウンロードエンジンがコンテンツを前記したコンテンツがダウンロードされる端末にダウンロードする前に、前記コンテンツ関連情報を認証控除エンティティに送信し、前記認証控除エンティティが前記したコンテンツがダウンロードされる端末にトリガーされたダウンロードを認証するのを要求すること、及び
前記認証控除エンティティが前記コンテンツ関連情報に基づいて、前記したコンテンツがダウンロードされる端末がトリガーしたダウンロードを認証することを含む。
【００１２】
該方法はさらに、
前記ダウンロードエンジンがコンテンツを前記したコンテンツがダウンロードされる端末に成功にダウンロードした後、前記認証控除エンティティをトリガーして控除すること、及び
前記認証控除エンティティが課金と控除操作を行い、前記疑似ＵＲＬと実際のＵＲＬの対応関係情報を削除することを含む。
【００１３】
該方法はさらに、
前記ポータルサイトが前記疑似ＵＲＬと前記コンテンツの実際のＵＲＬの対応関係情報を確立する際に、前記疑似ＵＲＬの失効時間を記録すること、及び
前記ダウンロードエンジンが前記失効時間の到達する際に、コンテンツを前記したコンテンツがダウンロードされる端末にダウンロードしないと、前記疑似ＵＲＬに対応する記録を削除することを含む。
【００１４】
前記コンテンツ関連情報の識別コードがタイムスタンプ、情報源のネットワークエレメント番号及び乱数を含む。
【００１５】
本発明はさらにコンテンツのダウンロードの実現システムを提供し、ポータルサイトとダウンロードエンジンを含み、その中、
前記ポータルサイトは、ダウンロードのトリガー要求を受信した後、ダウンロードされるコンテンツを疑似ユニフォームリソースロケータ(ＵＲＬ)に生成し、前記疑似ＵＲＬと前記コンテンツの実際のＵＲＬの対応関係情報を確立し、前記疑似ＵＲＬをコンテンツがダウンロードされる端末に送信するように設置され、
前記ダウンロードエンジンは、前記したコンテンツがダウンロードされる端末が前記疑似ＵＲＬに基づいてダウンロードを前記ダウンロードエンジンにトリガーした後、前記疑似ＵＲＬに基づいて前記疑似ＵＲＬと前記コンテンツの実際のＵＲＬの対応関係情報を問い合わせ、前記コンテンツの実際のＵＲＬを取得し、取得した実際のＵＲＬに基づいてコンテンツを前記したコンテンツがダウンロードされる端末にダウンロードするように設置される。
【００１６】
前記疑似ＵＲＬが前記ダウンロードエンジンのアドレスとコンテンツ関連情報の識別コードを含む。
【発明の効果】
【００１７】
以上のように、本発明はダウンロードのコンテンツのために疑似ＵＲＬを生成し、コンテンツ関連情報を隠れることによって、直リンクとリンクアドレスが長すぎる問題の発生を避け、本発明の方法が便利且つフレキシブルであり、経済的で且つ有効であり、十分に既存のネットワーク資源を利用し、新たなネットワークエレメント設備を増加する必要がなく、ギフトダウンロード、推薦ダウンロード、管理者マーケティングダウンロード及びユーザーショートメッセージ点播ダウンロードなどのシーンにおける直リンクとＵＲＬ表示が長すぎる問題を解決する。
【図面の簡単な説明】
【００１８】
【図１】図１は本発明実施形態におけるコンテンツをダウンロードする実現方法のフローチャートである。
【図２】図２は本発明実施形態におけるコンテンツをダウンロードする実現システムのアーキテクチャ図である。
【図３】図３は本発明実施形態における推薦ダウンロードコンテンツの実現のフローチャートである。
【図４】図４は本発明実施形態における点播ダウンロードコンテンツの実現のフローチャートである。
【発明を実施するための形態】
【００１９】
本実施形態におけるコンテンツがダウンロードされる端末に送信するＵＲＬリンクが実際のＵＲＬではなく、ＷＥＢポータル、ＷＡＰポータル、ショートメッセージポータル或いは管理者ポータルから生成する疑似ＵＲＬである。同時に、各のポータルサイトがデータベースにおいて該疑似ＵＲＬと実際のＵＲＬの対応関係情報を記録する。推薦、ギフト、ショートメッセージ点播或いは管理者インテリジェントマーケティングを行う端末がある際に、疑似ＵＲＬをコンテンツがダウンロードされる端末に送信し、コンテンツがダウンロードされる端末が疑似ＵＲＬリンクをクリックする際に、ダウンロードエンジンにリダイレクトし、ダウンロードエンジンがデータベースで該疑似ＵＲＬと実際のＵＲＬの対応関係を問い合わせ、実際のＵＲＬを取得し、実際のＵＲＬを解析し、課金サービスをトリガーし、課金サービスがユーザーのダウンロード行為を認証して課金する。認証或いは課金が成功した後ダウンロードエンジンの成功メッセージを返却し、ダウンロードエンジンによりダウンロード処理を行い、ユーザーがファイルのダウンロードを行うことを許可又は拒否する。
【００２０】
本実施形態はダウンロードシステムをさらに開示し、該システムは、ポータルサイト、データベース、ダウンロードエンジン及び認証控除エンティティを含み、その中、ポータルサイトがＷＥＢポータル、ＷＡＰポータル、ショートメッセージポータル及び管理者ポータルなどを含み、一定のルールに従って疑似ＵＲＬを生成することができ、データベースが疑似ＵＲＬと実際のＵＲＬの対応関係情報を記録し、ダウンロードエンジンが疑似ＵＲＬに基づいて対応な実際のＵＲＬを問い合わせ、実際のＵＲＬを解析して認証控除エンティティをトリガーし、認証控除エンティティがコンテンツのダウンロードされる端末のダウンロード要求を認証し、認証が通過すると、ダウンロードエンジンにメッセージを返却し、ダウンロードエンジンによりダウンロード操作を行う。
【００２１】
以下で、本実施形態における方法及びシステムを図面に基づいて詳細に説明する。
【００２２】
実施例１：
図１は本実施形態におけるコンテンツをダウンロードする実現方法を示し、以下のようなステップを含む：
Ｓ１０１：データベースではダウンロード用のコンテンツ（コンテンツと略称する）の実際のＵＲＬと疑似ＵＲＬの対応関係情報表を確立し、疑似ＵＲＬの失効時間項を配置し、
Ｓ１０２：ポータルサイトがダウンロードのトリガー要求を受信した後、ダウンロードのコンテンツのために疑似ＵＲＬを生成し、疑似ＵＲＬと対応した実際のＵＲＬをデータベースにおける対応関係情報表に記録する同時に、疑似ＵＲＬの失効時間を記録し、
異なるポータルサイトに対して、処理方式が以下のように、
推薦ユーザーがＷＥＢポータル或いはＷＡＰポータルなどによってダウンロードコンテンツを推薦し、ＷＥＢポータル或いはＷＡＰポータルが疑似ＵＲＬを生成し、疑似ＵＲＬと対応した実際のＵＲＬをデータベースにおける対応関係情報表に記録する同時に、疑似ＵＲＬの失効時間を記録し、
推薦ユーザーがＷＥＢポータル或いはＷＡＰポータルによってダウンロードコンテンツをギフトしてもよく、ＷＥＢポータル或いはＷＡＰポータルが疑似ＵＲＬを生成し、疑似ＵＲＬ、対応した実際のＵＲＬ及び疑似ＵＲＬの失効時間をデータベースにおける対応関係情報表に記録する。
【００２３】
コンテンツがダウンロードされる端末がショートメッセージポータルによってダウンロードコンテンツを点播することができ、ショートメッセージポータルが疑似ＵＲＬを生成し、疑似ＵＲＬ、対応な実際のＵＲＬ及び疑似ＵＲＬの失効時間をデータベースにおける対応関係情報表に記録する。
【００２４】
管理者がショートメッセージのマーケティング推薦を行う際に、管理者ポータルが疑似ＵＲＬを生成し、疑似ＵＲＬ、対応な実際のＵＲＬと疑似ＵＲＬの失効時間をデータベースにおける対応関係情報表に記録する。
【００２５】
Ｓ１０３：ポータルサイトは疑似ＵＲＬをコンテンツがダウンロードされる端末に送信し、
疑似ＵＲＬがダウンロードエンジンのアドレスとコンテンツ関連情報の識別コードを含む。
【００２６】
Ｓ１０４：コンテンツのダウンロードされる端末が疑似ＵＲＬリンクをクリックしてダウンロード操作を行う際に、ユーザーのギフト、推薦、マーケティングショートメッセージの疑似ＵＲＬのリンクに基づいて、ダウンロードエンジンにダイレクトし、ダウンロードエンジンがデータベースに疑似ＵＲＬに基づいて実際のＵＲＬを問い合わせ、
コンテンツのダウンロードされる端末が疑似ＵＲＬに含まれたダウンロードエンジンのアドレスに基づいて、ダウンロードを前記ダウンロードエンジンにトリガーし、ダウンロードエンジンにコンテンツの疑似ＵＲＬを取得させる。
【００２７】
Ｓ１０５：ダウンロードエンジンが実際のＵＲＬを解析し、課金認証インターフェースによって実際のＵＲＬを認証控除エンティティに送信し、認証控除エンティティに課金認証要求を開始し、
実際のＵＲＬがコンテンツ関連情報を含み、コンテンツ関連情報は、コンテンツのアドレス及びコンテンツの情報+ＳＰの情報+ＣＰの情報+推薦操作のマーク+ユーザーＡのユーザーＩＤ+ユーザーＢのユーザーＩＤなどを含む。
【００２８】
Ｓ１０６：認証控除エンティティがコンテンツ関連情報に基づいてコンテンツのダウンロードされる端末のダウンロードを認証し、認証結果をダウンロードエンジンに返却し、ダウンロードエンジンが認証結果に基づいてダウンロード処理を行い、
Ｓ１０７：端末が成功にファイルをダウンロードした後、ダウンロードエンジンが認証控除エンティティをトリガーし、認証控除エンティティが課金処理を行い、疑似ＵＲＬに対応する記録を削除し、
疑似ＵＲＬの失効時間を超えた後、専門的なタスクにより上記の疑似ＵＲＬに対応する記録を削除する。
【００２９】
好ましくは、データベースおける失効した疑似ＵＲＬをタイムリーに削除するのを保証するために、データベース表構造が失効時間を記録するフィールドを増加し、データベース表の構造が以下のように設計されてもよく、
2014509014.tif 000003
ダウンロードエンジンはユーザーが疑似ＵＲＬを使用してダウンロードすることが成功すると判断した後、ダウンロードエンジンが認証控除エンティティをトリガーし、認証控除エンティティが課金する同時に、データベースにおける対応記録を削除し、或いは失効時間を超えた後ダウンロードをしないと、タスクにより該記録を削除する。
【００３０】
ステップＳ１０２において、仮にユーザーＡがユーザーＢにダウンロードコンテンツを推薦し、推薦ユーザーが推薦するコンテンツをマークすることができるために、ＳＰとＣＰの累積ダウンロード量を統計し、同時に推薦したユーザーを受け取るだけでコンテンツをダウンロードすることなどをも保証するために、ポータルサイトがダウンロードエンジンのアドレス+コンテンツ関連情報をダウンロードエンジンに送信し、ダウンロードエンジンにより上記情報を認証控除エンティティ或いは他の課金ネットワークエレメントに送信し、認証と課金などの操作を完成する。コンテンツ関連情報は、コンテンツのアドレス及びコンテンツの情報+ＳＰの情報+ＣＰの情報+推薦操作のマーク+ユーザーＡのユーザーＩＤ+ユーザーＢのユーザーＩＤなどを含み、その中、ユーザーＢが推薦を受け取るユーザーであり、即ちコンテンツをダウンロードするユーザーである。コンテンツをダウンロードするユーザーの情報を含むため、該メッセージが転送された後、認証控除エンティティに認証する際に、ギフトユーザーと受け取りユーザーの対応関係が間違ったと、このダウンロード行為が拒否されることがある。
【００３１】
本実施例において、隠れる必要があるコンテンツ関連情報、例えばコンテンツのアドレス及びコンテンツ情報、ＳＰの情報、ＣＰの情報、推薦操作のマーク、ユーザーＡのユーザーＩＤ及びユーザーＢのユーザーＩＤなどに代わって文字列を使用し、該文字列がコンテンツ関連情報の識別コードと呼ばれてもよく、該コンテンツ関連情報の識別コードがダウンロードエンジンのアドレスの後にスプライシングし、ユーザーがダウンロード操作を行う疑似ＵＲＬとなる。
【００３２】
さらに、上記のコンテンツ関連情報の識別コードが多種方式を採用して生成することができるが、各のダウンロード行為が対応する文字列が必ず唯一であるのを保証する。好ましくは、タイムスタンプ+情報源のネットワークエレメント番号+乱数の方式を採用してもよい。その中、タイムスタンプが秒まで精確である。情報源のネットワークエレメント番号とは、ＷＥＢポータル、ＷＡＰポータル、ショートメッセージポータル及び管理ポータルなの番号を指す。例えばＷＥＢポータルが００１、ＷＡＰポータルが００２、ショートメッセージポータルが００３、管理ポータルが００４である。
【００３３】
ユーザーが推薦、ギフト、ショートメッセージ点播、管理者マーケティングを行う際に、端末ユーザーリンクに送信する方式が以下を含む：
ステーションメッセージが、ＷＥＢ、ＷＡＰポータルの推薦、ギフト操作及び管理者のインテリジェントマーケティングに適用する。
電子メール送信が、ＷＥＢ、ＷＡＰポータルの推薦、ギフト及び管理者のインテリジェントマーケティングに適用する。
ｐｕｓｈショートメッセージ送信が、ＷＥＢ、ＷＡＰポータルの推薦、ギフトと管理者のインテリジェントマーケティング及びユーザーショートメッセージポータルの点播操作に適用する。
【００３４】
実施例２：
図２に示すように、本実施形態におけるシステムは、ポータルサイト、データベース、ダウンロードエンジン及び課金認証エンティティを含み、その中、ポータルサイトがＷＥＢポータル、ＷＡＰポータル、ショートメッセージポータル及び管理ポータルなどを含む。
【００３５】
ＷＥＢポータルは、ユーザー用ＰＣアクセスシステムの操作インターフェースと機能を提供し、ユーザーがＷＥＢポータルの上にステーションメッセージ、電子メールとｐｕｓｈショートメッセージなどの方式によって他のユーザーに対して推薦、ギフトなどの操作を行うことができる。ユーザーが推薦、ギフトを行う際に、ＷＥＢポータルが疑似ＵＲＬを生成し、データベースに記録する。
【００３６】
ＷＡＰポータルは、ユーザー用移動端末アクセスシステムの操作インターフェースと機能を提供し、ユーザーがＷＡＰポータルの上にステーションメッセージ、電子メール及びｐｕｓｈショートメッセージなどの方式によって他のユーザーに対して推薦、ギフトなどの操作を行うことができる。ユーザーが推薦、ギフトを行う際に、ＷＡＰポータルが疑似ＵＲＬを生成し、データベースに記録する。
【００３７】
ショートメッセージポータルは、ユーザーが特定の文字列をショートメッセージポータルのアクセスコードに送信することができ、ショートメッセージポータルにアクセスし、ショートメッセージ点播の機能を実現するようにする。例えばユーザーがｄｏｗｎｌｏａｄｇａｍｅｌを編集し、アクセスコード１２３４５６７８に送信する。ショートメッセージポータルがメッセージを受信した後、ユーザーに疑似ＵＲＬを含むｐｕｓｈショートメッセージリンクを返却し、データベースに疑似ＵＲＬと実際のＵＲＬの対応関係を記録する。ユーザーが該リンクをクリックする際に、ｇａｍｅｌをダウンロードする。
【００３８】
管理ポータルは、本実施例において、管理者が管理ポータルによってインテリジェントマーケティングを行い、管理者が管理ポータルによって疑似ＵＲＬを含むステーションメッセージ、電子メール及びｐｕｓｈショートメッセージなどを編集してコンテンツのダウンロードされる端末に送信し、ＵＲＬと実際のＵＲＬの対応関係をデータベースに記録する。端末ユーザーが該疑似ＵＲＬをクリックすることによって、ダウンロードの機能を実現する。
【００３９】
データベースは、ユーザーの基本情報、アカウント情報、消費記録、コンテンツの実際のＵＲＬ及び疑似ＵＲＬの対応関係情報などを記録する。
【００４０】
ダウンロードエンジンは、実際のＵＲＬと疑似ＵＲＬの対応関係の問い合わせ、実際のＵＲＬの解析、課金認証サービスのトリガー、ユーザーのダウンロード管理などの機能を実現する。
【００４１】
課金認証エンティティは、ユーザーダウンロード行為の認証と課金機能を実現し、成功にダウンロードする実際のＵＲＬと疑似ＵＲＬの対応関係を削除する。
【００４２】
実施例３：
図３に示すように、ユーザーＡがＷＥＢポータルによってユーザーＢにダウンロードコンテンツを推薦するプロセスを例として、本実施形態におけるコンテンツをダウンロードする実現方法を説明し、以下のステップを含む。
Ｓ３０１：ユーザーＡがＷＥＢポータルで推薦操作を開始し、推薦コンテンツを選択し、推薦されたユーザー情報を入力し、ＷＥＢポータルに提出し、
Ｓ３０２：ＷＥＢポータルが推薦コンテンツの疑似ＵＲＬを生成し、実際のＵＲＬと疑似ＵＲＬをデータベースに提出し、
Ｓ３０３：データベースが実際のＵＲＬと疑似ＵＲＬの対応関係情報及び記録失効時間を記録し、記録成功のメッセージをＷＥＢポータルに返却し、
Ｓ３０４：ＷＥＢポータルがユーザーＢを通知し、ユーザーＡがダウンロードコンテンツをユーザーＢに推薦し、メッセージに疑似ＵＲＬを携えて、
Ｓ３０５：ＷＥＢポータルがユーザーＡに推薦が成功であるのを提示し、
Ｓ３０６：ユーザーＢがユーザーＡに推薦されたコンテンツを見た後、疑似ＵＲＬのリンクをクリックし、ダウンロード操作を行い、
Ｓ３０７：ダウンロードエンジンがダウンロード要求を受信した後、疑似ＵＲＬに基づいてデータベースに実際のＵＲＬ及び失効時間を問い合わせ、
Ｓ３０８：データベースが実際のＵＲＬ及び失効時間を返却し、
Ｓ３０９：ダウンロードエンジンが実際のＵＲＬを解析し、認証課金エンティティとのインターフェースによって実際のＵＲＬを認証課金エンティティに送信し、課金認証をトリガーし、
Ｓ３１０：認証課金エンティティが実際のＵＲＬに基づいてダウンロード行為を認証し、ダウンロードを許可するかどうかを判断し、認証結果をダウンロードエンジンに送信し、
Ｓ３１１：ダウンロードエンジンが認証結果を判断し、ダウンロードを許可すればダウンロード処理を行い、
Ｓ３１２：ユーザーＢがダウンロード処理を行い、
Ｓ３１３：ダウンロードエンジンはダウンロード操作が成功であるかどうかを判断し、成功であると、再び認証課金エンティティをトリガーし、課金の確認を行い、
Ｓ３１４：認証課金エンティティが要求に基づいて課金と控除操作を行い、データベースを通知して該疑似ＵＲＬに対応する記録を削除し、
Ｓ３１５：データベースがこの疑似ＵＲＬに対応する記録を削除し、
Ｓ３１６：課金認証サービスがダウンロードエンジンの課金が成功であるのを返却し、
Ｓ３１７：ダウンロードエンジンはユーザーのダウンロードが成功であるのを提示する。
【００４３】
上記のステップによってダウンロードリンクにおける重要な情報の隠れを実現し、直リンクを防止する。且つ冗長であるｐｕｓｈショートメッセージコンテンツを簡単化し、ユーザーの良好な体験を実現した。
【００４４】
実施例４：
図４に示すように、ユーザーＡがショートメッセージによって点播する方式でダウンロードを点播するプロセスを例として、本実施形態におけるコンテンツをダウンロードする実現方法を説明し、以下のステップを含む。
Ｓ４０１：ユーザーＡが特定のショートメッセージコンテンツを特定のアクセスコードに送信し、ユーザーのショートメッセージがショートメッセージポータルに転送され、
Ｓ４０２：ショートメッセージポータルが疑似ＵＲＬを生成し、実際のＵＲＬと疑似ＵＲＬをデータベースに提出し、
Ｓ４０３：データベースが実際のＵＲＬと疑似ＵＲＬの対応関係情報及び失効時間を記録し、記録成功のメッセージをショートメッセージポータルに記録し、
Ｓ４０４：ショートメッセージポータルがユーザーＡを通知して疑似ＵＲＬをクリックすることによってダウンロード操作を行い、
Ｓ４０５：ユーザーＡが疑似ＵＲＬのリンクをクリックし、ダウンロード操作要求を開示し、
Ｓ４０６：ダウンロードエンジンがダウンロード要求を受信した後、ダウンロードエンジンが疑似ＵＲＬに基づいてデータベースに実際のＵＲＬ及び失効時間を問い合わせ、
Ｓ４０７：データベースが実際のＵＲＬ及び失効時間を返却し、
Ｓ４０８：ダウンロードエンジンが実際のＵＲＬを解析し、認証課金エンティティとのインターフェースによって実際のＵＲＬを認証課金エンティティに送信し、課金認証をトリガーし、
Ｓ４０９：認証課金エンティティが実際のＵＲＬに基づいてダウンロード行為を認証し、ダウンロードを許可するかどうかを判断し、認証結果をダウンロードエンジンに送信し、
Ｓ４１０：ダウンロードエンジンが課金認証結果を判断し、ダウンロードを許可すればダウンロード処理を行い、
Ｓ４１１：ユーザーＡがダウンロード処理を行い、
Ｓ４１２：ダウンロードエンジンはダウンロード操作が成功であるかどかを判断し、成功であると、再び認証課金エンティティをトリガーし、課金の確認を行い、
Ｓ４１３：認証課金エンティティが要求に基づいて課金と控除操作を行い、データベースを通知してこの疑似ＵＲＬに対応する記録を削除する。
【００４５】
Ｓ４１４：データベースがこの疑似ＵＲＬに対応する記録を削除し、
Ｓ４１５：課金認証サービスはダウンロードエンジン課金が成功であることを返却し、
Ｓ４１６：ダウンロードエンジンがユーザーダウンロードが成功であるのを提示する。
【００４６】
上記のステップによってダウンロードリンクにおける重要な情報の隠れを実現し、直リンクを防止する。且つ冗長であるｐｕｓｈショートメッセージコンテンツを簡単化し、ユーザーの良好な体験を実現した。
【００４７】
以上の方法とステップに従って、容易に推薦、ギフト、ショートメッセージ点播及び管理者インテリジェントマーケティング過程におけるダウンロードリンク直リンクとｐｕｓｈショートメッセージが長すぎる問題を解決する。該サービスの実現方法が便利且つフレキシブルで、経済的で有効であり、十分に既存のネットワーク資源を利用し、新たなネットワークエレメント設備を増加する必要がなく、モバイルインターネットダウンロードサービスにおけるオペレータ、ユーザー、ＳＰ及びＣＰなどの役割の合法利益を保護し、ユーザー体験を向上させ、高い経済価値と技術価値を有する。
【００４８】
当業者は、上記の本発明における各モジュール、各ステップが汎用の計算装置によって実現することができ、それらを単一の計算装置に集積してもよく、或いは複数の計算装置からなるネットワークに分布してもよく、選択的に、それらが計算装置に実行可能なプログラムコードによって実現することができ、従って、それらを記憶装置に記憶して計算装置により実行し、或いはそれらをそれぞれ各の集積回路モジュールに製作し、或いはそれらの複数のモジュール或いはステップを単一の集成回路モジュールに製作して実現することができるのを分かることが明らかである。このように、本発明がいずれかの特定のハードウェアとソフトウェアの結合に限られることがない。
【００４９】
以上は本発明の実施例であるだけであり、本発明を限るものではなく、当業者にとって、本発明を様々な変更と変化を行うことができる。本発明の精神と原則を逸脱しない限りにおいて、修正、等同切替、改善等などが、いずれも本発明の保護範囲に含まれる。
【産業上の利用可能性】
【００５０】
従来の技術に比べ、本発明がダウンロードのコンテンツのために疑似ＵＲＬを生成し、コンテンツ関連情報を隠れることによって、直リンクとリンクアドレスが長すぎる問題の発生を避け、同時にギフトダウンロード、推薦ダウンロード、管理者マーケティングダウンロード及びユーザーショートメッセージの点播ダウンロードなどのシーンにおける直リンクとＵＲＬ表示が長すぎる問題を解決する。
【図１】
2014509014.tif 000004
【図２】
2014509014.tif 000005
【図３】
2014509014.tif 000006
【図４】
2014509014.tif 000007
【手続補正書】
【提出日】平成25年8月23日(2013.8.23)
【手続補正１】
【補正対象書類名】図面
【補正対象項目名】図４
【補正方法】変更
【補正の内容】
【図４】
2014509014.tif 000008
【国際調査報告】
2014509014.tif 000009
2014509014.tif 000010
2014509014.tif 000011
2014509014.tif 000012